【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
複数のサーバを有するネットワーク環境においてマルチパスアダプティブストリーミングを用いてオーディオビジュアルコンテンツを伝送するシステムであって、
各サーバはそれぞれのデータパスにより、クライアントに、ＲＴＰ／ＲＴＳＰ準拠通信プロトコルに基づき、前記マルチメディアコンテンツを伝送するように構成され、
前記クライアントは、各データパスに関連するそれぞれの帯域幅を決定し、決定したそれぞれの帯域幅により各サーバに前記マルチメディアコンテンツのチャンクを要求するために、前記各データパスをプローブできるコントローラを含むことを特徴とする、システム。
【請求項２】
前記コントローラは、各サーバと前記クライアントとの間の各データパスの利用可能ビットレートを推定する手段を含み、サーバスピード制御を行うように構成されたことを特徴とする、
請求項１に記載のシステム。
【請求項３】
前記コントローラは、利用可能なビットレートにより、それぞれのサーバにより配信される次のチャンクを選択するチャンク選択手段を含むことを特徴とする、
請求項１または２に記載のシステム。
【請求項４】
前記コントローラは、正しい消費順序を実現するために、リンクされたリストから割り当てられたビンに、前記サーバの１つのチャンクをリンクするように構成されたビン割り当て手段を含むことを特徴とする、
請求項１ないし３いずれか一項に記載のシステム。
【請求項５】
前記コントローラは、単一のコヒーレントストリームを構成するために、ＲＴＰタイムスタンプとシーケンス番号を更新するＲＴＰリナンバリング及びリタイムスタンピング手段を含むことを特徴とする、
請求項１ないし４いずれか一項に記載のシステム。
【請求項６】
マルチパス環境におけるアダプティブストリーミングの方法であって、
−クライアントを設けるステップと；
−複数のサーバであって、それぞれが前記クライアントにそれぞれのデータパスにより、ＲＴＰ／ＲＴＳＰ環境で、マルチメディアコンテンツを送信するように構成された複数のサーバを設けるステップとを有し、
前記クライアントは、各データパスに関連するそれぞれの帯域幅を決定し、決定したそれぞれの帯域幅により各サーバに前記マルチメディアコンテンツのチャンクを要求するために、前記各データパスをプローブするコントローラを含むことを特徴とする、方法。
【請求項７】
前記コントローラは、マルチパスストリーミングセッションで用いられる各サーバについて、サーバスピード制御と、帯域幅測定と、帯域幅推定とを並行して行うために、パスビットレート推定手段を含むことを特徴とする、
請求項６に記載の方法。
【請求項８】
パスビットレート推定は周期的に繰り返されることを特徴とする、
請求項７に記載の方法。
【請求項９】
パスビットレート推定は、再生要求にスピードＲＴＳ標準属性を付加することにより、対応するサーバのスピードを制御することを特徴とする、
請求項７または８に記載の方法。
【請求項１０】
各サーバについて、現在のレートがスムージングアルゴリズムにより用いられ、推定値を繰り返し決定し、前の繰り返し期間中に測定したビットレートから到達可能ビットレートを求めることを特徴とする、
請求項９に記載の方法。
【請求項１１】
各サーバについて、現在レートの分散を計算することを特徴とする、
請求項９に記載の方法。
【請求項１２】
前記コントローラは、それぞれのサーバにより配信される次のチャンクのビットレート選択を行えるチャンクスケジューリング手段を含むことを特徴とする、
請求項６ないし１１いずれか一項に記載の方法。
【請求項１３】
すべてのサーバの個別のビットレート推定値が合計され、合計ビットレートが求められ、チャンクの再生レートが合計ビットレートのすぐ下のエンコーディングビットレートに選択されることを特徴とする、
請求項１２に記載の方法。
【請求項１４】
前記コントローラは、正しい消費順序を実現するために、リンクされたリストから割り当てられたビンに、前記サーバの１つのチャンクをリンクするビン割り当て手段を含むことを特徴とする、
請求項６ないし１１いずれか一項に記載の方法。
【請求項１５】
前記コントローラは、単一のコヒーレントストリームを構成するために、ＲＴＰタイムスタンプとシーケンス番号を更新するＲＴＰリナンバリング及びリタイムスタンピング手段を含むことを特徴とする、
請求項６ないし９いずれか一項に記載の方法。
【手続補正２】
【補正対象書類名】明細書
【補正対象項目名】０１０１
【補正方法】変更
【補正の内容】
【０１０１】
さらに言うまでもなく、添付した図面に示したシステム構成要素や方法ステップの一部はソフトウェアで実施されてもよいので、システム構成要素（または方法ステップ）間の実際的な結合は本原理をプログラムするそのプログラム方法に応じて異なる。ここに開示された教示を受けて、関連技術分野の当業者は、本原理の同様な実施形態や構成を考えることができるであろう。
実施形態について、次の付記を記す。
（付記１）  複数のサーバを有するネットワーク環境においてマルチパスアダプティブストリーミングを用いてオーディオビジュアルコンテンツを伝送するシステムであって、
各サーバはそれぞれのデータパスにより、クライアントに、ＲＴＰ／ＲＴＳＰ準拠通信プロトコルに基づき、前記マルチメディアコンテンツを伝送するように構成され、
前記クライアントは、各データパスに関連するそれぞれの帯域幅を決定し、決定したそれぞれの帯域幅により各サーバに前記マルチメディアコンテンツのチャンクを要求するために、前記各データパスをプローブできるコントローラを含むことを特徴とする、システム。
（付記２）  前記コントローラは、各サーバと前記クライアントとの間の各データパスの利用可能ビットレートを推定する手段を含み、サーバスピード制御を行うように構成されたことを特徴とする、
付記１に記載のシステム。
（付記３）  前記コントローラは、利用可能なビットレートにより、それぞれのサーバにより配信される次のチャンクを選択するチャンク選択手段を含むことを特徴とする、
付記１または２に記載のシステム。
（付記４）  前記コントローラは、正しい消費順序を実現するために、リンクされたリストから割り当てられたビンに、前記サーバの１つのチャンクをリンクするように構成されたビン割り当て手段を含むことを特徴とする、
付記１ないし３いずれか一項に記載のシステム。
（付記５）  前記コントローラは、単一のコヒーレントストリームを構成するために、ＲＴＰタイムスタンプとシーケンス番号を更新するＲＴＰリナンバリング及びリタイムスタンピング手段を含むことを特徴とする、
付記１ないし４いずれか一項に記載のシステム。
（付記６）  マルチパス環境におけるアダプティブストリーミングの方法であって、
−クライアントを設けるステップと；
−複数のサーバであって、それぞれが前記クライアントにそれぞれのデータパスにより、ＲＴＰ／ＲＴＳＰ環境で、マルチメディアコンテンツを送信するように構成された複数のサーバを設けるステップとを有し、
前記クライアントは、各データパスに関連するそれぞれの帯域幅を決定し、決定したそれぞれの帯域幅により各サーバに前記マルチメディアコンテンツのチャンクを要求するために、前記各データパスをプローブするコントローラを含むことを特徴とする、方法。
（付記７）  前記コントローラは、マルチパスストリーミングセッションで用いられる各サーバについて、サーバスピード制御と、帯域幅測定と、帯域幅推定とを並行して行うために、パスビットレート推定手段を含むことを特徴とする、
付記６に記載の方法。
（付記８）  パスビットレート推定は周期的に繰り返されることを特徴とする、
付記７に記載の方法。
（付記９）  パスビットレート推定は、再生要求にスピードＲＴＳ標準属性を付加することにより、対応するサーバのスピードを制御することを特徴とする、
付記７または８に記載の方法。
（付記１０）  各サーバについて、現在のレートがスムージングアルゴリズムにより用いられ、推定値を繰り返し決定し、前の繰り返し期間中に測定したビットレートから到達可能ビットレートを求めることを特徴とする、
付記９に記載の方法。
（付記１１）  各サーバについて、現在レートの分散を計算することを特徴とする、
付記９に記載の方法。
（付記１２）  前記コントローラは、それぞれのサーバにより配信される次のチャンクのビットレート選択を行えるチャンクスケジューリング手段を含むことを特徴とする、
付記６ないし１１いずれか一項に記載の方法。
（付記１３）  すべてのサーバの個別のビットレート推定値が合計され、合計ビットレートが求められ、チャンクの再生レートが合計ビットレートのすぐ下のエンコーディングビットレートに選択されることを特徴とする、
付記１２に記載の方法。
（付記１４）  前記コントローラは、正しい消費順序を実現するために、リンクされたリストから割り当てられたビンに、前記サーバの１つのチャンクをリンクするビン割り当て手段を含むことを特徴とする、
付記６ないし１１いずれか一項に記載の方法。
（付記１５）  前記コントローラは、単一のコヒーレントストリームを構成するために、ＲＴＰタイムスタンプとシーケンス番号を更新するＲＴＰリナンバリング及びリタイムスタンピング手段を含むことを特徴とする、
付記６ないし９いずれか一項に記載の方法。